Podtech/llm-jp-corpus-v4-ja_patent huggingface dataset:
(57)【要約】      （修正有）【課題】スクリューの推進力を高めて高速化した省エネ船を提供する。【解決手段】スクリュー１前部の両舷に海水誘導板２の後端を蝶着し、該前端を油圧シリンダー３で自在に開閉できるように構成した。これにより、航行時、両舷の海水誘導板を油圧シリンダーで開ければ、今まで、両舷に沿って流れていた海水も、海水誘導板に誘導されてスクリュー部に流れ込み、スクリュー部の海水面が上昇してスクリューは、さながら、深海で海水に包まれた状態になって、海水密度が増すので、スクリューが海水を押す力が高まる。したがって、その反作用も高まるので、船速を早くすることができる。そのため、燃料を相当節約できるので経済的であり、省エネ船として活用することができる。【選択図】図１
2015209197.tif 000002
【特許請求の範囲】
【請求項１】
スクリュー前部の両舷に海水誘導板を設置し、該後端をスクリューの付根部分の前部両舷に蝶着し、該海水誘導板の前端部分の船腹には凹みを設けて油圧シリンダーを設置し、該本体を凹みに、ロッドは海水誘導板の前端部分に枢着し、油圧シリンダーを操作して海水誘導板を自在に開閉できるようにしたスクリューの推進力を高めて高速化した省エネ船。
【発明の詳細な説明】
【技術分野】
【０００１】  本発明は、スクリューの推進力を高めて高速化した省エネ船に関する。
【背景技術】
【０００２】  従来、スクリューが推進力を得る海水は、船首から船尾に流れる海水が主な対象であった。そのため、船速は燃料に見合う分しか出せなかった。
【発明の概要】
【発明が解決しようとする課題】
【０００３】  本発明は、両舷の海水も流入させてスクリューの推進力を高め、今以上に高速化することを目的とする。
【課題を解決するための手段】
【０００４】  そして、本発明は、上記目的を達成するため、スクリュー前部の両舷に海水誘導板を設置し、該後端をスクリューの付根部分の前部両舷に蝶着し、該海水誘導板の前端部分の船腹には、凹みを設けて油圧シリンダーを設置し、該本体を凹みに、ロッドは海水誘導板の前端部分に枢着し、油圧シリンダーを操作して海水誘導板を自在に開閉できるようにしたものである。
なお、使用する油圧シリンダーはロッド側トラニオン形が取り付けやすく、また、点検しやすい。また、油圧シリンダーの代りにエアシリンダーを設置してもよく、海水誘導板は他の方式で開閉するようにしてもよい。【０００５】  上記の課題解決手段による作用は次の通りである。すなわち、航行時、両舷の海水誘導板を、油圧シリンダーで開ければ、今まで、両舷に沿って流れていた海水も、海水誘導板に誘導されてスクリュー部に流れ込み、スクリュー部の海水面が上昇し、スクリューは、さながら、深海で海水に包まれた状態になって、海水密度が増すので、スクリューが海水を押す力が高まる。
したがって、その反作用も高まるので、船速を早くすることができる。
【発明の効果】
【０００６】  上述したように、海水誘導板を設置したので、船速を早めることができる。
したがって、燃料を相当節約できるので経済的であり、省エネ船として活用することができる。
なお、本発明の構造簡単で、建造する船のみならず、就役中の船にも実施可能である等の諸効果を有するものである。
【図面の簡単な説明】
【０００７】
【図１】本発明の正面図
【図２】図１の底面図
【図３】図１のＡ−Ａ線の拡大横断平面図
【図４】図３のＢ−Ｂ線の縦断面図
【発明を実施するための形態】
【０００８】  以下、本発明の実施の形態を図１から図４について説明する。
【０００９】  図１と図２の２はスクリュー１前部の両舷に配置した海水誘導板で、該後端をスクリュー１の付根部分の前部両舷に蝶着している。３は海水誘導板２の前端部分の船腹に設けた凹み４に設置した油圧シリンダーで、該本体を凹み４に、ロッドは海水誘導板の前端部分に枢着している。
図３と図４は、ロッド側トラニオン形油圧シリンダーの取り付け例で、凹み４を角形に形成して奥側を塞ぎ、該凹み４の前側の上下に丸孔を開け、該丸孔にシリンダー取り付け板５に取り付けたシリンダー保持筒６を挿入してトラニオン７を枢着し、シリンダー取り付け板５は凹み４の上下面にボルト８で取り付け、而して、ロッドに１山先端金具９をねじ込み、相対する海水誘導板２には１山先端金具９を夾む連結金具１０を取り付け、該連結金具１０と１山先端金具９をピン１１で枢着している。
【００１０】  以上において、海水誘導板は航行時に開き、荒天時は閉じる。また、入・出港時や港内は安全上閉じる。
【符号の説明】
【００１１】１    スクリュー
２    海水誘導板
３    油圧シリンダー
４    凹み
５    シリンダー取り付け板
６    シリンダー保持筒
７    トラニオン
８    ボルト
９    １山先端金具
１０  連結金具
１１  ピン
【図１】
2015209197.tif 000003
【図２】
2015209197.tif 000004
【図３】
2015209197.tif 000005
【図４】
2015209197.tif 000006
(57)【要約】      （修正有）【課題】底曳網漁船の網を上げるロープの継手部品を提供する。【解決手段】（イ）鉄管１を切断し附属品を取付ける。（ロ）その管に輪のリングを入れてロープのストッパーにする。（ハ）鉄管の中心部に穴をあけて鉄棒を２本打込みロープストッパーにする。【選択図】図１
2015209627.tif 000002
【特許請求の範囲】
【請求項１】
ロープの先端に取付けて他の物品を継く器具です
【発明の詳細な説明】
【発明の詳細な説明】
従来のものは、ロープのあみ込みで使用していましたが、磨耗が早く修理する時間が長く危険性に富でいる為本発明はその欠点を無くす又た長期間使用出来る又安全性も大であり死亡事故も防ぐことが出来る部品であります
以下設明します
（イ）鉄管を切断し附属品を取付ける
（ロ）その管に輪のリングを入れてロープのストッパーにする
（ハ）鉄管の中心部に穴をあけて鉄棒を２本打込みロープストッパーにする
【図面の簡単な説明】
【図１】本発明器具図
【図２】本発明器具部品図
【符号の説明】１は鉄管  ２は丸棒
【図１】
2015209627.tif 000003
【図２】
2015209627.tif 000004
(57)【要約】【解決手段】  印鑑１の先端部に朱肉やインクをつけ、手３で印面の向きを確認し、押印面を書類２に向け、四角柱の縦や横の表面と書類２の線や文字列、紙の際の角度で水平垂直が傾かないように押印する。【効果】  朱肉のついた面を紙に向けた時、見えない押印面が持ち手の四角柱の縦横の角度で傾いているかが分かる為、ねらいの角度で押印しやすい。押印作業の合間で印鑑を置いても転がらず紛失や破損のおそれが少ない。押印作業の合間で印鑑を書類等の上に置いても書類に直接朱肉が付きにくい。【選択図】図１
2015157463.tif 000002
【特許請求の範囲】
【請求項１】
印面が丸や楕円の印鑑の印面と朱肉やインクの付くあたり以外を（印面の文字の水平垂直が中央で揃っている）四角柱の形状を特徴とする印鑑
【請求項２】
印面が丸や楕円の印鑑の印面と朱肉やインクの付くあたり以外を押印面の直径（楕円では広い方）よりも太い形状を特徴とする印鑑
【発明の詳細な説明】
【技術分野】
【０００１】  本発明は、円柱や楕円柱形状の印鑑に関する。
【背景技術】
【０００２】印鑑は、一般に名前などを押印するために使用される。
図２に、従来の円柱型印鑑を持った斜視図６を示す。
また、この図にはその他に、紙に押印する一般的様子７も示している。
以上の印鑑は次のようにして使用する。
朱肉のついた面を見て、押印する時に斜めにならないように押印する。
【発明の開示】
【発明が解決しようとする課題】
【０００３】以上のような従来の円柱や楕円柱形状の印鑑には、次のような解決すべき課題があった。
１．朱肉のついた面を紙に向けると回転などしていることに気付かず斜めに押印してしまうことがある。
２．押印作業の合間で印鑑を置いた時に転がってしまい紛失や破損の可能性がある。
３．押印作業の合間で印鑑を置いた時に朱肉で書類などを汚すおそれがある。
【課題を解決するための手段】
【０００４】  本発明は以上の点を解決するために、次のような構成を採用する。
〈構成１〉
円柱や楕円柱形状の印鑑で押印面と朱肉の付着しうる部分以外を円柱形の円の直径よりも大きく（印面の文字の水平垂直が中央で揃っている）四角柱の形状にする。【０００５】〈構成２〉
円柱や楕円柱形状の印鑑が押印面と朱肉の付着しうる部分以外が四角柱の形状で印鑑と一体化になる着脱可能な持つ部分と押印部分の蓋。
【発明の効果】
【０００７】  本発明の印鑑、印鑑具には次のような効果がある。
〈具体例と具体例２の共通の効果〉
１．朱肉のついた面を紙に向けた時、見えない押印面が持ち手の四角柱の縦横の角度で傾いているかが分かる為、ねらいの角度で押印しやすい。
２．押印作業の合間で印鑑を置いても転がらず紛失や破損のおそれが少ない。
３．押印作業の合間で印鑑を書類等の上に置いても書類に直接朱肉が付きにくい。
〈具体例２の特有の効果〉
従来の円柱や楕円柱形状の印鑑を買い替えず装着し上記効果が得られる。
【発明を実施するための最良の形態】
【０００８】  以下、本発明を図の具体例を用いて詳細に説明する。
【実施例１】
【０００９】  以下の説明で、実施例１は構成１に対応し、実施例２は構成２に対応する。
図１に、本発明の印鑑の具体例斜視図を示す。
図の印鑑は、印鑑１と書類２と手３から構成される。
印鑑１の先端部（印面と朱肉やインクの付くあたり）は図２を用いて説明した従来どおりの構造のものである。
手３で持つ印鑑１の四角柱になっている部分は印面の文字と水平垂直と中央が揃い、印面の直径（楕円では広い方）よりも太く作られている。
書類２は押印する書類などである【００１０】  以上の印鑑は次のようにして使用する。
印鑑１の先端部に朱肉をつけ、手３で印面の向きを確認し、押印面を書類２に向け、四角柱の縦や横の表面と書類２の線や文字列、紙の際の角度等で水平垂直が傾かないように押印する。
こうした構造にすれば、印面を書類に向けた後でも印面の文字の水平垂直が揃っているかどうかがわかり、角度を失敗することが大幅に軽減できる。
印鑑を置いた時、印鑑は転がらず、机などから落とし破損することも減り、印鑑を書類等の上に置いても印面の直径よりも四角柱の部分が太いため、朱肉で書類等を汚してしまうことも軽減できる。
なお、印鑑１の印面の太さと四角柱の部分の太さの差は１ミリ以内でも１センチを超える太さでも自由である。これは太さを統一しない方が、小さい形状の訂正印等は細い方が管理しやすく、太い実印などは割り印する際には重さや太さがある方が好まれるためである。
【実施例２】
【００１１】図３には、一般的な円柱型印鑑４に四角柱の持つ部分５をはめ込んだものを図示した。
図３に示したように、円柱型印鑑４に四角柱の持つ部分５をはめ込んでも具体例１と同様の効果がある。
【図面の簡単な説明】
【００１２】
【図１】  この発明の印鑑具の具体例斜視図と押印する様子の斜視図を示す。
【図２】  従来の円柱型印鑑を持った斜視図と押印する様子の斜視図を示す。
【図３】  この発明を一般的な円柱型印鑑に取り付けた斜視図を示す。
【符号の説明】
【００１３】１  持ち位置四角柱型丸印鑑
２  書類
３  手
４  円柱型印鑑
５  円柱型印鑑に取り付けられる四角柱型持つ部分
６  円柱型印鑑を持った斜視図
７  紙に押印する一般的様子
【図１】
2015157463.tif 000003
【図２】
2015157463.tif 000004
【図３】
2015157463.tif 000005
(57)【要約】【課題】課題薪や竹を燃焼させた際に発生する煤煙及び煙の中の塵などが混ざった排水の処理【解決手段】解決手段煤煙は、水フィルターの水は温度が低いほど表面張力が強いので煤煙を何回も水でこして、排出できるレベルにする。温度の低い水はいくらでもある。排水に関しては、田舎であれば灰の混ざった水は肥料になるので土地がある人には問題にならない。都市部ではフィルターでこして灰を回収して、ゴミに出せばいい。【選択図】なし【特許請求の範囲】
【請求項１】
液体の表面張力による煙の清浄化装置2図です。
液体に煙管から液体中に煙を放出し、液体が煙の煤煙を除去する
という範囲です。
【発明の詳細な説明】
【技術分野】
【０００１】
主に熱エネルギーによる融雪
【背景技術】
【０００２】
主に以下の構造体から成る、構成
1燃焼装置2給水装置3散水装置4熱交換装置(フィルター含む)
【先行技術文献】
【非特許文献】
【０００３】
【非特許文献１】南雲  健治  氏著「一級ボイラー技士試験」オーム社出版平成21年
【発明の概要】
【発明が解決しようとする課題】
【０００４】
薪や竹などの燃焼によ煤煙で、使用者及び使用者周囲に様々な害をもたらす。又、水フィルターの排水による公害並びに、
水の大量使用による、上水道や工業用水など人や自然によって供給される水が、他分野への供給支障がでること。
【課題を解決するための手段】
【０００５】
田舎であれば降る雪(若しくは雨)をフィルターの濾材に困らず、排水も土壌の上にすればよいが
都市部では給水及び排水に、支障が出る可能性が高い。
都市部で水フィルターを使う場合、排水の濾過や灰の処理、排煙の無害化(集塵装置などを使って)
水フィルターを使わなければ、課題は発生しないので、
燃料を灯油など環境基準を超えない煙を発生させる燃料と燃焼装置に換えるか
電気をエネルギー原による発熱装置
などで対応できる。
【発明の効果】
【０００６】
安価に熱エネルギーを使用できるようになる。合法木材(林野庁が伐採を許可した間伐材など)や竹、薪、木の葉、枯れ草
などで融雪(主に屋根の上の雪)し、雪下ろしによる屋根から落下を防げるだけでなく、家周辺の雪も溶かし、車両の視界
も確保する。
【図面の簡単な説明】
【０００７】
【図１】このボイラーの概要図です。
【図２】熱交換装置の概要図です。
【図３】水フィルターの図です。
【図４】違うタイプの水フィルターの縦から見た図です。
【図５】もうひとつの水フィルター横から見た図です。
【発明を実施するための形態】
【０００８】
まず最初に
補給用の水(雪)、燃料の確認をします。
ポンプを使う場合作動が正常化か
燃焼装置、熱交換装置、フィルター、散水装置に異常はないか確認する。
基本的に水が補給出来るところはできる限り事故防止のため満水にする
全ての使用前に点検した後に、燃焼を開始する。ポンプは燃焼前に作動させる
ボイラーに構造が近いのでさほど難しくは無い。
ある程度温まると、散水装置(ポンプ)を作動させて、融雪開始。
【実施例】
【０００９】
このボイラーは、基本的には屋外に設置します。
設置場所で考慮する点は
燃料の補給、水(雪)の補給、そこからホースを引き出して散水ノズルで散水します。
又、電源の確保(リール式電源分配器)はポンプや着火などするので、有る方が理想です。
【産業上の利用可能性】
【００１０】
RPFなどを特殊な燃焼させなくても、安価に熱エネルギーを得ることができ、コストを大幅に削減できる。除雪機による除雪は燃料や
労力が掛かる割には除雪後の雪のことを考えてなく、その雪をダンプカーなどで運ぶのはコストがかかる上、雪の運搬車が、人を
轢いてしまう可能性がある。また熱エネルギーは使用者宅周囲を部分的にではあるが、温めることができる。
【図１】
2015157246.tif 000002
【図２】
2015157246.tif 000003
【図３】
2015157246.tif 000004
【図４】
2015157246.tif 000005
【図５】
2015157246.tif 000006
(57)【要約】【課題】洗濯機で洗濯する時に、洗濯物のダメージを減らす為に従来洗濯物用ネットの中に入れて洗濯していたが、洗濯物の片寄りによって１．良く汚れが落ちていない２．良く濯げていない３．皺になってしまった、などの不満があった。【手段】（イ）洗濯物用ネットの内側ファスナー部分の側にロープ（ひも）を一周させて右端と左端部分を固定させる。【選択図】図１
2015231509.tif 000002
【特許請求の範囲】
【請求項１】
洗濯用ネットの内側に３・４のロープを取り付けて、５・６で端を固定したロープ（ひも）を設けた洗濯用ネット。
【発明の詳細な説明】
【技術分野】
【０００１】  本発明は、洗濯用ネットの中での洗濯物の片寄りを防ぐことが出来るように内側にロープ（ひも）を取り付けた洗濯用ネットに関するものである。
【背景技術】
【０００２】  従来、洗濯物のダメージを少なくする為に洗濯用ネットを使用していましたが、従来の物は洗濯をして取り出すとネットの中で団子状になっていて（イ）良く落ちていないのではないか？（ロ）濯ぎが良くできていないのではないか？（ハ）しわの原因にもなっていた。
【発明の概要】
【発明が解決しようとする課題】
【０００４】  従来の洗濯用ネットには次のような欠点があった。
（イ）洗濯物のダメージを少なくする為に洗濯用ネットに入れて洗濯していたが、洗濯用ネットの中で洗濯物が片寄って団子状になってしまっていた。そのために
（ロ）良く落ちない、良く濯げない、しわになってしまうなどの不満があった。
本発明は、以上の問題を解決する為に発明されたものである。
【課題を解決するための手段】
【０００５】  （イ）ファスナー１・２に添ってロープ（ひも）３・４を一周させる
（ロ）ファスナーの開口始め５と開口終わり６の部分（端と端）を止める事でロープを固定させる。
以上の構成によりなる、内側にロープ（ひも）を付けた洗濯用ネットである。
【発明の効果】
【０００６】  本発明を使用する事によって、洗濯用ネットのロープ（ひも）に洗濯物を物干しのロープにかける時のようなイメージでまたがせる事で、薄手の物や大きな物まで１か所に片寄る事無く気持ち良く洗濯する事ができる。
【図面の簡単な説明】
【０００７】
【図１】内側にロープ（ひも）を取り付けた洗濯用ネットの正面図
【発明を実施するための形態】
【０００８】  以下、本発明の実施の形態を説明する。
（イ）ファスナー１・２に添ってロープ（ひも）３・４を一周させる
（ロ）ファスナーの開口始め５と開口終わり６の部分（端と端）を止める事でロープを固定させる。
本発明は以上の構成よりなる。
本発明を使用する場合は、洗濯用ネットのロープ（ひも）３・４に洗濯物を物干しのロープにかける時のようなイメージでまたがせる事で、ネットの中で洗濯物が片寄る事無く洗濯する事ができる。
【符号の説明】
【０００９】１  ファスナー
２  ファスナー
３  ロープ（ひも）
４  ロープ（ひも）
５  固定部
６  固定部
７  洗濯用ネット
【図１】
2015231509.tif 000003
(57)【要約】      （修正有）【課題】板状積層構造体を貼り付け又は組み込んで、可変紋様装身具の表層面にあらかじめ設定し又は電波受信の方法により投射した色彩紋様を表層部に可視的に表示する。【解決手段】回路基板及び装置の一部又は全部を板状積層構造体とし構成する装置を可変色彩紋様装身具の裏面又は素材のなかに貼り付け又は組み込む。【選択図】図１
2015231505.tif 000002
【特許請求の範囲】
【請求項１】
入力又は送信電波を受信して得られる画像データを保存するメモリ及びそれらのデータを指定された特定の使用目的に従って演算処理して出力する演算部及び出力部を搭載する回路基板、上記音声画像を主力表示する画像ディスプレイのための表示装置、これらの回路基板と表示装置とに必要な電力を供給する充電可能電池から構成される軟質硬質の板状積層構造体を内容面に貼り付け又は内部的構成体に組み込んで表層面に任意の可変色彩紋様を可視的に変化させて表示できる装身具（以下「可変色彩紋様装身具」と称する）。
【請求項２】
ブルートゥース（Ｂｌｕｅｔｏｏｔｈ：登録商標）等の無線通信手段により請求項１の板状積層構造体に送信される画像又は音声データを受信しその表層部でディスプレイ画像を表示できる請求項１の可変色彩紋様身具。
【請求項３】
請求項１又は２の本装置に接触型又は非接触方法で電力供給をするためのバッテリーを電源とし、又は外部電源を取り入れることができるように配置した請求項１又は１の可変色彩紋様装身具。
【発明の詳細な説明】
【背景技術】
【０００１】  装身具には種々のものがあるが、外部的信号に反応してそれ自体の表層部の色彩紋様を変幻自在に変化させる方法による装飾的効果及び暗号伝達機能をもつものは見当たらない。そこでこの機能をもつ装身具に対するニーズが高まってきている。
【発明の概要】
【発明が解決しようとする課題】
【０００２】  本発明により、可変紋様装身具の裏面又は素材のなかに請求項１の板状積層構造体を貼り付け又は組み込んで、可変紋様装身具の表層面にあらかじめ設定し又は電波受信の方法により投射した色彩紋様を表層部に可視的に表示することができる。
【課題を解決する手段】
【０００３】  上記の課題を解決するために、本発明は、請求項１の回路基板及び装置の一部又は全部を板状積層構造体とし構成する装置を可変色彩紋様装身具の裏面又は素材のなかに貼り付け又は組み込んで、上記の本発明の課題を解決するものである。
【発明の効果】
【０００４】  可変紋様装身具の装着携行所持者は、当該可変色彩紋様装身具の表示機能面により必要な表示を示すことができる。
【図面の簡単な説明】
【０００５】
【図１】  図面１の（１）は、指輪用、同（２）は、ネックレストップの例示である（菱形は表示された紋様のイメージ例である）。それらの本体又は内部表面に表示のために必要な請求項１の軟質硬質の板状積層構造体を貼り付け又は組み込むものである。
【図１】
2015231505.tif 000003
(57)【要約】【課題】新たな発想と構造によって、高機能で、ファッショナブルな巾着式留めスマートフォンカバーを提供する。【解決手段】スマートフォン画面の淵を収縮する素材を使い覆うことによって、容易な着脱で、柔らかな革や生地を使い製造することができること。【選択図】図１
2015231508.tif 000002
【特許請求の範囲】
【請求項１】
▲３▼筒状の淵革の中に▲４▼ゴム等の収縮素材を通し縮めて絞り込むことにより、▲２▼カバーをレザー他の素材のソフト感を残し、裏面、横面や表面の淵も、充分な保護ができ、▲１▼スマートフォンに容易に着脱できることと、その構造。            図１、
【請求項２】
▲２▼素材に柔らかな革や布を使い、落下等による衝撃を防ぎ、編込みやプリント生地を使いファッション性をもたせたこと。
図３
【発明の詳細な説明】
【発明の詳細な説明】
【０００１】世界初巾着式留め型スマートフォンカバー。
【発明に属する技術分野】
この発明は、新しい形のスマートフォンカバーに関するものである。
【従来の技術１】
【０００２】従来、革製スマートフォンカバーは、側を挟み込む方式や、プラスチィクのベースに貼り付ける方式や、表の画面の淵のパーツと裏のパーツで挟み込む方式の製品であり、構造上カバー自体の素材は硬いもので、革や生地で作られた製品には柔らかな質感を生かせるものはなかった。
【発明が解決しようとする課題】
【０００３】これは、次のような欠点があった。従来のスマートフォンカバーを留める、方式では、柔らかい革や生地を使った製品は出来ないとされていた。
【課題を解決すめるための手段】
【０００４】新しい発想と製作の構想により、簡易に、シンプルな形で、スマートフォンカバーの理想の目的を達成できるものである。
【発明を実施するための形態】
【０００５】以下、本発明の実施の形態について説明する。
１、  留めとなる▲３▼淵革の端を筒状にし▲４▼ゴムやシリコン等の収縮素材を入れ込      み縮めることにより、正確で、なめらかな▲３▼淵押さえができるため、柔らかな      革や生地を使ったスマートフォンカバーを作ることができる。また▲３▼淵革の端      を縮めた平ゴムを縫い合わせることも同等である
図１、２、
本、発明は以上のような構造です。
【発明の効果】
従来に無い、巾着留め式スマートフォンカバーである、柔らかな革や生地で包み込み、カバー本来の目的を満たし、着脱も容易でシンプル、また外観もファッショナブルな物で、新たなカバーの構造で従来の構造に加わる物になります。
【図面の簡単な説明】
【図１】スマートフォン、カバーの断面図
【図２】全体の構造
【図３】製品の形
【図４】製品の形
【符号の説明】１、  スマートフォン本体
２、  カバー
３、  淵革
４、  ゴムひも、（シリコンゴム、収縮テープ）
【図１】
2015231508.tif 000003
【図２】
2015231508.tif 000004
【図３】
2015231508.tif 000005
【図４】
2015231508.tif 000006
(57)【要約】【課題】  木製家具に用いるための木製のキャスター。【解決手段】  中に強度上十分な金属とゴムなどでできた既存のキャスターを用い、そのカバー部分に木を用いる。既存のキャスターに木製カバーをかぶせるために、支持軸回りの隙間を０．３〜０．５ｍｍ位大きい穴加工で仕上げる。接着剤や止め具を用いずにがたつきのない状態に止められ、車輪が見えずほとんどが木製に見え、多くのデザインバリエーションが可能なキャスターである。【選択図】図１
2015231822.tif 000002
【特許請求の範囲】
【請求項１】
強度上十分な金属とゴムなどでできた既存のキャスターを中に用い、支持軸回りの隙間を０．３〜０．５ｍｍ位大きい穴加工で仕上げた木製カバーを全面にかぶせた家具用キャスター。
【発明の詳細な説明】
【技術分野】
【０００１】  本発明は、木製家具に用いるための木製のキャスターに関する。
【背景技術】
【０００２】  従来木製家具は数多く存在するがそれに使用するキャスターに関しては金属製、プラスチック製のものに限られていた。木材で作成したものは十分な強度や耐久性が得られず、量産に向いていないことが主な理由と考えられる。一部車輪のみに木を使用したものは存在するが、耐荷重の小さいものや、おもちゃに限られている。これも主に強度上の理由からである。
【先行技術文献】
【特許文献１】
【０００３】
【特許文献】
【特許文献】不明
【非特許文献】
【０００４】
【非特許文献１】なし
【発明の概要】
【発明が解決しようとする課題】
【０００５】  解決しようとする問題点は、木製家具には木製キャスターを使用したほうが調和のとれたデザインのものができると考えられるが、現実には全部木製でできたものは存在しなかった。それは木の性質上、強度不足や、変形、収縮などがあり、軸や車輪には向かないからである。
【課題を解決するための手段】
【０００６】  本発明は、ほとんどが木製に見えるキャスターである。中には強度上十分な金属とゴムなどでできた既存のキャスターを用い、そのカバー部分に木を用いたものである。既存のキャスターに木製カバーをかぶせるために、支持軸回りの隙間を木材の種類と乾燥度に応じて０．３〜０．５ｍｍ位大きい穴加工で仕上げる。既存のキャスターはこのような処理を前提にできていないので、支持軸回りを精度の高い加工を施すことでしっかりと加工後の収縮を受け止めることができ、接着剤や止め具を使用せずにがたつきのない状態に止めることができる。経年変化で若干収縮していってもしっかり安定した形状が維持でき、オイル等で仕上げれば汚れも付着せず、割れたりすることも無い。
【発明の効果】
【０００７】  本考案の木製キャスターを使用すれば木製家具と同等の材料で、かつ見かけの大部分が木製であることで、家具本体と調和のとれたデザインに仕上げることができる。カバー部表面も多くの形状に加工が可能なので、従来に無い新たなデザインバリエーションが可能になる。
【図面の簡単な説明】
【０００８】
【図１】  木製キャスターの実施方法を示した説明図。
【図２】  木製キャスターの実施デザインバリエーション例を示した説明図。
【発明を実施するための形態】
【０００９】  既成キャスターにかぶせるように加工された木製カバー内側に、既成キャスターがしっかり入るように支持軸部分の穴加工の公差をプラス０．３〜０．５ｍｍ位にしたもので、表側は様々な形状に仕上げたもの。
【実施例１】
【００１０】  「実施形態の効果」
この実施形態は、既成キャスターに木製カバーをかぶせた形態で、強度的にも優れ、木製部分で表面を形成し車輪が見えないので、木製品として認識できる状態に仕上がっている。このため家具との調和のとれた多くのデザインバリエーションが展開できる。
【符号の説明】
【００１１】  １  木製カバー部    ３  加工穴部    ３  既成キャスター    ４  隙間部
【図１】
2015231822.tif 000003
【図２】
2015231822.tif 000004
【図３】
2015231822.tif 000005
【手続補正書】
【提出日】平成26年7月22日(2014.7.22)
【手続補正１】
【補正対象書類名】明細書
【補正対象項目名】０００８
【補正方法】変更
【補正の内容】
【０００８】
【図１】  木製キャスターの実施方法を示した説明図
【図２】  木製キャスターの断面説明図及び完成状態の説明図
【図３】  木製キャスターの実施バリエーション例を示した説明図
(57)【要約】【課題】古新聞などを束ねるときひもを手で結ぶときつく束ねることが難しかった。【解決手段】結束用のひもを挟み込み指でパチッとつぶし簡単にロックさせるための樹脂で作られた部品である。【選択図】図１
2015231865.tif 000002
【特許請求の範囲】
【請求項１】
結束用のひもをロックさせるための部品
【発明の詳細な説明】
【技術分野】
【０００１】この発明は、結束用のひもをロックさせるための樹脂で作られた部品に関するものである。
【背景技術】
【０００２】従来、古新聞、古雑誌などをひもで束ねるときは、手で結んでいた。
【先行技術文献】
【特許文献】
【０００３】
【特許文献１】
【発明の概要】
【発明が解決しようとする課題】
【０００４】これは、次のような欠点があった。
従来、古新聞などをひもで束ねるときは手で結んでなかなかきつく束ねることができなかった。本発明は、以上のような欠点をなくすためになされたものである。
【課題を解決するための手段】
【０００５】結束用のひもを挟み込み指でパチッとつぶし簡単にロックさせるための樹脂で作られた部品である。
【発明の効果】
【０００６】結ぶ手間が省けてなおかつきつく束ねることができる。
【図面の簡単な説明】
【０００７】
【図１】本発明の斜視図である。開いてる状態
【図２】本発明の斜視図である。閉じた状態
【発明を実施するための形態】
【０００８】樹脂で作られた蝶型の片側がオスもう片方がメスの形状のひもをロックさせるための部品である。
【符号の説明】
【０００９】１が２の部分にはまり込む
３  ひもが奥にいかないように防止する
【図１】
2015231865.tif 000003
【図２】
2015231865.tif 000004
(57)【要約】【課題】チューブ製品等を使用するとき、蓋等を取り外すことなく内容物を出せる取出し口を提供する。【解決手段】  チューブ等容器取出し口として孔のあいたチューブ等本体上部（５）にキャップレストップ上部（２）、と一体になるキャップレストップ取り出し口（３）、キャップレストップ下部（４）、キャップレス筒部（６）を設けチューブ等本体を押すことでキャップレス上部（２）等が上がりキャップレストップ取出し口（３）から内容物が取り出せる、またキャップレストップ上部（２）を押し下げることで閉めた状態となるを特徴とする【選択図】図３
2015231864.tif 000002
【特許請求の範囲】
【請求項１】
チューブ等容器の先端に取外す蓋を要せずに内容物を取り出せる構造が私の権利です。
【発明の詳細な説明】
【技術分野】
【０００１】この発明は歯磨き、整髪料、調味料等チューブ製品等の容器先端部品に関するものである
【背景技術】
【０００２】従来、チューブ製品等の使用時にはキャップの取り外し、取り付け、又、キャップの紛失が煩わしかった。
【発明の概要】
【発明が解決しようとする課題】
【０００３】チューブ製品等使用時は毎回キャップを外し、使用後にキャップを取り付けていた、例えば歯磨き粉、整髪料、調味料等キャップの取り外し、取り付け、又、キャップの紛失が煩わしかった。本発明はこの課題を解決するためになされたものである。
【課題を解決するための手段】
【０００４】そこで本発明にあっては上記課題を解決するためチューブ等容器本体から外す必要のない取出し部品を考案した。
【発明の効果】
【０００５】チューブ等容器とキャップが一体のため使用時にチューブ等容器本体を押すことで必要量を取り出すことができ、使用後はキャップ上部を押し下げることで閉めた状態になる。
【図面の簡単な説明】
【０００６】
【図１】本発明の内容物取り出し時の正面図である。
【図２】本発明の閉時の正面図である。
【図３】本発明の内容物取り出し時の側面図である。
【図４】本発明の閉時の側面図である。
【発明を実施するための形態】
【０００７】以下、本発明を実施するための形態について説明する。
孔の開いたチューブ本体上部（５）内部に、円形の孔を開け縁の付いたキャップレストップ下部（４）と一体になるキャップレストップ筒部（６）キャップレストップ取出し口（３）、キャップレストップ上部（２）を取り付ける。本発明は、以上のような構造である。
【実施例】
【０００８】これを使用するときは、キャップを取り外す代わりに、チューブ本体（１）を押すことでチューブ本体上部（５）までキャップレストップ下部（４）とキャップレストップ取り出し口（３）とキャップレストップ上部（２）が上がり内容物がキャップレストップ取り出し口（３）から取出せる
【産業上の利用可能性】
【０００９】歯磨き粉、整髪料、調味料、菓子、洗剤、飲料等。
【符号の説明】
【００１０】１  チューブ等の本体
２  キャップレストップ上部
３  キャップレストップ取出し口
４  キャップレストップ下部
５  チューブ等本体上部
６  キャップレストップ筒部
【図１】
2015231864.tif 000003
【図２】
2015231864.tif 000004
【図３】
2015231864.tif 000005
【図４】
2015231864.tif 000006
(57)【要約】【課題】ＡＯＢ式血液型分類における血液型別に原材料を分けた飲食品、加工食品及びサプリメントを提供する。【解決手段】ＡＯＢ式血液型分類における血液型別に食材を変え、製造する。【選択図】なし【特許請求の範囲】
【請求項１】
ＡＯＢ式血液型分類における血液型別に原材料を分けた飲食品、加工食品及びサプリメントであることを特徴とする。
【発明の詳細な説明】
【技術分野】
【０００１】  本発明は、ＡＯＢ式血液型分類による体質の違いを明確にし、その体質に合わせた飲食品、加工食品及びサプリメントが各血液型の体質に及ぼす影響の違いの理論に関する。
【背景技術】
【０００２】  一般にＡＯＢ式血液型分類では、Ａ型、Ｏ型、Ｂ型、ＡＢ型と４種類に分けられるのは、周知の事実である。【０００３】  血液型による体質の違いは個人差や血液の細かな分類法によっても違いがあるが、輸血の際に型の合わない血液を使用すると、赤血球の凝集反応が起こることからも、血液型が体質の違いに関与している充分な証明と言える。【０００４】  この場合、血液による血液への影響・反応となるが、飲食品、加工食品及びサプリメントによる血液及び体質への影響も同様に存在すると考え、その構造を明らかにする。
【発明の概要】
【発明が解決しようとする課題】
【０００５】  本発明が解決しようとする課題は、ＡＯＢ式血液型分類による体質の違いを明確にし、その体質に合わせた飲食品、加工食品及びサプリメントの効果の証明である。
【課題を解決するための手段】
【０００６】  血液型別の体質の違いを明確にし、その体質の違いから飲食品、加工食品及びサプリメントの成分がどのように影響するか証明するものである。
【発明の経緯】
【０００７】  まずＡＯＢ式血液型分類によるＡ型、Ｏ型、Ｂ型、ＡＢ型と４種類の体質の違いを明確にする。
【０００８】  赤血球の表面には２５０種以上の糖鎖という表面抗原があるが、赤血球の表面にＨ抗原及びＡ抗原があるとＡ型、Ｈ抗原及びＢ抗原があるとＢ型、Ｈ抗原及びＡ抗原、Ｂ抗原があるとＡＢ型、Ｈ抗原だけがある場合はＯ型となり、この抗原を総称して血液型物質と呼ぶ。
【０００９】  以下にＡＯＢ式血液型の違いをさらに細かく表記する。
【００１０】  Ａ型血液には、赤血球の表面にＡ抗原があり、血清中にはＢ型血液を固めてしまう抗Ｂ凝集素といわれる抗体が含まれている。
【００１１】  Ｂ型血液には、赤血球の表面にＢ抗原があり、血清中にはＡ型血液を固めてしまう抗Ａ凝集素といわれる抗体が含まれている。
【００１２】  ＡＢ型血液には、赤血球の表面にＡ抗原、Ｂ抗原があり、血清中には抗体は含まれていない。
【００１３】  Ｏ型血液には、赤血球の表面ににＡ抗原、Ｂ抗原がなく、血清中にはＡ型血液、Ｂ型血液を固めてしまう抗Ａ凝集素、抗Ｂ凝集素といわれる抗体が含まれている。
【００１４】  ＡＯＢ式血液型が誤って輸血されると、その赤血球は破壊され発熱などの軽い症状から、急性腎不全のような重篤な副作用を起こし、生命が失われてしまうことさえある。
【００１５】  以上のことからも、ＡＯＢ式血液型の違いが人体に大きな影響を与えていることが明確である。
【００１６】  輸血時のように顕著ではないが、食物の中にも血液中の抗体に影響を与える物質が存在する。
【００１７】  それはレクチンという生物に広く存在する糖鎖結合性タンパク質である。
【００１８】  レクチンは食物全般に含まれており、それぞれの血液型に対して全く違った影響を及ぼす。
【００１９】  血液の中の抗体に与えるレクチンの影響としては、赤血球の膜表面にある糖で構成された抗原にレクチンが反応して赤血球同士をくっつけて凝集させるというものである。
【００２０】  食材の中に含まれるレクチンは、血液型を決定する抗原と同様の性質を持っていることから、アレルギー症状をはじめ、蕁麻疹、下痢、頭痛、便秘、腹部膨満、関節の腫れや痛み、ドライアイなど、特定の食材に対する反応も血液型によって異なることが分かっている。
【００２１】  小麦などの穀物、ピーナッツ、大豆、インゲン、ナス、トマト、唐辛子、ジャガイモ、クコ、ピーマンなどに含まれるレクチンには、人によっては細胞膜に影響を与えて、細胞の働きに大きな影響を与えるレクチンもたくさん存在している
【００２２】  以上のことを踏まえると、同じ食材でも血液型の違いにより、人の体内での反応が違うことが言える。
【００２３】  またＡＢＯ式血液型を決定する各抗原は、胃粘膜や腸粘膜にもっとも多く存在することがわかっている。
【００２４】  このことからも食材に含まれるレクチンが直接血液中に取り込まれなくとも、体内に取り込まれることで抗原に影響を与えることが出来るということが分かる。
【００２５】  次にＡＢＯ式血液型分類においてＡ型、Ｏ型、Ｂ型、ＡＢ型各体質の具体例を示す。
【００２６】  資料として、健康の森健康科学総合センターセンター長  高橋利忠氏の文をホームページ上より抜粋する。
【００２７】  ＡＢＯ血液型は性格や体質と関連がありますか？という質問に対しての高橋利忠氏の答え。
【００２８】  ピロリ菌は胃潰瘍や胃がんと深い関連があるが、ピロリ菌が胃の粘膜に感染する際には、まず粘膜に接着する必要があります。
【００２９】  日本人のピロリ菌を調べたところ、９割以上がＡ、Ｂ、Ｏいずれの抗原にも接着しましたが、人口の多くがＯ型であるペルーのピロリ菌は、約６割がＯ型抗原により強く接着することがわかりました。
【００３０】以上のことから病原菌に対する各血液型別の体の反応の違いが証明されたとする。
【００３１】  このようにＡＢＯ抗原はピロリ菌の感染に関連している可能性が示されましたが、他の細菌、コレラ、破傷風、ボツリヌス、乳酸菌など）の感染に関しても、同様にＡＢＯ抗原との関連性が報告されています。
【００３２】  またレクチンは人の体内の代謝機能にも影響を与える。
【００３３】  体質に合わないレクチンが体内に入ると消化、代謝、免疫に悪影響を与えて、病気の原因となる。
【００３４】  例として、豆や穀物のレクチンは免疫系を刺激してアレルギーの原因となる。
【００３５】  小麦のレクチンはアミノ酸代謝を阻害し、タンパク質の活用阻害や成長障害を起こす可能性がある。
【００３６】  以上の内容からもＡＯＢ式血液型分類における、体質の違いと飲食品、加工食品及びサプリメントの影響の違いは証明されたとする。
【発明の効果】
【００３７】  ＡＯＢ式血液型分類による体質の違いから、各血液型別に食材を選び提供することで、アレルギーや代謝機能の向上、病気への耐性の向上等、身体機能全般の向上に役立てるものとする。
(57)【要約】      （修正有）【課題】ベルトコンベアー上を搬送される軟体食材はその柔らかさから型崩れしやすく、又コンベアーベルトに傷をつけない様、配慮する必要がある為、人の手によってワークの下にプレートを滑り込ませて受取り、移動させることになりコストが掛っていた。【解決手段】第１のベルトコンベアー上を搬送されるワーク５を光電センサー１が認識すると、シャッター３及び引き寄せゲート４を有する可動フレーム２が前進し、可動フレーム２に対してシャッター３が更に前進することでワーク５の下に滑り込み、次に可動フレーム２に対して引き寄せゲート４が下がるとともに後退することでワーク５を可動フレーム２と引き寄せゲート４との間に挟み、この状態で可動フレーム２が定位置に戻る。次に可動フレーム２に対してシャッター３が後退するのとほぼ同時に引き寄せゲート４が前進することでワークを第２のベルトコンベヤー上に落下させて目的の位置にワークを搬送する。【選択図】図７
2015231905.tif 000002
【特許請求の範囲】
【請求項１】
ベルトコンベアー上などにある製品（以下ワークと称する）に対し、プレート状、又はフォーク形状の物（以下シャッターと称する）をワークの下に滑り込ませる。これによりワークはシャッター上に位置する。
【請求項２】
シャッター上に位置するワークをシャッターごと、目的の位置の真上迄、移動させる。
【請求項３】
その後シャッターを引き抜きワークを落下させる。これによりワークを目的の位置に移動させる事が出来る。
【発明の詳細な説明】
【技術分野】
【０００１】この発明は、ベルトコンベアーなどで搬送されている、型崩れしやすい軟体食材を自動で受取り食品用トレーの中や下流側のコンベアーなどに自動で移動させる装置で有る。
【背景技術】
【０００２】従来、食品加工場に於いて軟体食材［蒸しあがったカニカマやスライサーで切った後の肉や挽肉など（以下総じてワークと称する）］は、その柔らかさからロボット等ではつかみ難く、又コンベアーベルトに傷をつけない様、配慮する必要がある為、ベルトコンベアー上に搬送されて来るワークを人の手によってワークの下にプレートを滑り込ませて受取り、トレーへの盛り付け作業や次の工程への移動を行っている。
【発明の概要】
【発明が解決しようとする課題】
【０００３】これは次の様な欠点があった。
（イ）従来、行われている軟体食材のベルトコンベアーからトレーへの盛付けや、次の工      程への搬送は人手が集中するところで有る。この為、コストの集中するところにも      成っている。
（ロ）衛生面での問題が有る。（異物混入の可能性が有る）
本発明は、以上の様な欠点をなくす為になされたものである。
【問題を解決する為の手段】
【０００４】以下、本発明の動作について、図７（７０１〜７０８）を参照して説明する。
定位置に於いてワークを認識する光電センサー１によりワークを認識する（７０１）。認識後に可動フレーム２が前進する（７０２）。その後に凹凸に柔軟に対応するシャッター３を前進させてワークの下に滑り込ませる（７０３）。その後、引き寄せゲート４が下がる（７０４）。その後に引き寄せゲート４が可動フレーム２側に引き寄せて可動フレーム２と引き寄せゲート４の間に挟む（７０５）。その後可動フレーム２が定位置まで戻る（７０６）。その後のシャッター３が定位置に戻りほぼ同時に引き寄せゲート４が定位置に戻る（７０７）。これによりワークが落下して目的の位置にワークを搬送できる。ワーク落下後１〜４は、定位置で次のワークを待機する（７０８）。
【０００５】シャッター部のプレートはワークの形状によりプレートタイプ５とフォークタイプ６を使い分ける。粒の細かい挽肉などにはプレートタイプ５を使用する。スライス肉などにはフォークタイプ６を使用する。
【発明の効果】
【０００６】本発明は、従来人の手によって行われていた、軟体食材の盛り付けや搬送を飛躍的に省力化する事が出来る。又、衛生面の向上にも寄与するものである。
【図面の簡単な説明】
【０００７】
【図１】  本発明の平面図である。
【図２】  本発明の正面図である。
【図３】  本発明の符号２可動部の拡大図である。
【図４】  本発明の符号３シャッター部の拡大図である。
【図５】  本発明シャッター部プレートタイプの平面図である。
【図６】  本発明シャッター部フォークタイプの平面図である。
【図７】  本発明の使用状態の図面である
【発明を実施するための形態】
【０００８】（イ）ワーク認識用の光電センサー１を設ける。
（ロ）可動フレーム２を  設ける。
（ハ）凹凸に対応して柔軟に動くシャッター３を設ける。
（ニ）引き寄せゲート４を設ける。
（ホ）可動フレーム２上にシャッター３と引き寄せゲート４を配置して目的の位置迄、移      動させる。この動作はモーター等で駆動させる。
（ヘ）シャッター３の動作と、引き寄せゲート４の前後、上下の動作はエアーシリンダー      等で作動させる。
（ト）シャッターの形状はワークの形状に合わせ２タイプ用意する。粒の細かい挽肉など      には、プレートタイプ５を使用する。スライス肉などにはフォークタイプ６を使用      する。
【符号の説明】
【０００９】１  ワークを認識する光電センサー
２  可動フレーム
３  シャッター
４  引き寄せゲート
５  ワーク（製品）
【図１】
2015231905.tif 000003
【図２】
2015231905.tif 000004
【図３】
2015231905.tif 000005
【図４】
2015231905.tif 000006
【図５】
2015231905.tif 000007
【図６】
2015231905.tif 000008
【図７】
2015231905.tif 000009